【手続補正書】
【提出日】平成17年3月25日(2005.3.25)
【手続補正１】
【補正対象書類名】明細書
【補正対象項目名】発明の名称
【補正方法】変更
【補正の内容】
【発明の名称】画像通信装置及び画像通信方法
【手続補正２】
【補正対象書類名】明細書
【補正対象項目名】特許請求の範囲
【補正方法】変更
【補正の内容】
【特許請求の範囲】
【請求項１】
複数の画像フレームからなる動画像データを所定の符号化方式で圧縮符号化した圧縮画像データを記憶部より再生し、伝送手段を介して前記圧縮画像データの復号機能を有する受信装置に対して転送する画像通信装置であって、
前記圧縮画像データの早送り再生時において、前記圧縮画像データにおける複数の画像フレームの符号量、前記圧縮画像データの転送に必要な帯域、及び前記早送り再生の早送り倍速に基づいて前記複数の画像フレームの中から転送する画像フレームを抽出し、この抽出した画像フレームの圧縮画像データのみを前記伝送手段を介して前記受信装置に転送することを特徴とする画像通信装置。
【請求項２】
前記所定の符号化方式は、画像フレーム内のみのデータで符号化したフレーム内符号化ピクチャ、フレーム間前方予測符号化により符号化した前方予測符号化ピクチャ、及びフレーム間双方向予測符号化により符号化した双方向予測符号化ピクチャを所定数分集めて１つの符号化単位を構成し、前記符号化単位を集めて画像ストリームを構成する符号化方式を含み、前記画像ストリームを一定の転送帯域を有する前記伝送手段を介して前記受信装置に転送することを特徴とする請求項１に記載の画像通信装置。
【請求項３】
前記早送り再生時において、前記伝送手段の転送帯域、前記早送り再生の倍率、及び前記符号化単位を構成する複数の画像フレームの符号量から前記符号化単位毎の転送時間内に転送可能なデータ量を求め、この転送可能なデータ量に基づいて前記符号化単位を構成する複数の画像フレームの中から転送する画像フレームを抽出し、前記抽出した画像フレームの圧縮画像データより早送り再生用の画像ストリームを生成して前記受信装置に転送することを特徴とする請求項２に記載の画像通信装置。
【請求項４】
前記早送り再生用の画像ストリームの転送に先立って、前記抽出した画像フレーム以外の画像フレームを前記符号化単位から破棄することを特徴とする請求項３に記載の画像通信装置。
【請求項５】
１つの前記符号化単位より生成した画像ストリームの転送終了後、次の符号化単位より生成した前記早送り再生用の画像ストリームの転送開始までの間、ＮＵＬＬデータを転送することを特徴とする請求項３に記載の画像通信装置。
【請求項６】
前記転送可能なデータ量が前記符号化単位内の最初のフレーム内符号化ピクチャのデータ量より少ない場合、前記再生単位内の最初のフレーム内符号化ピクチャの画像データを転送すると共に、この最初のフレーム内符号化ピクチャの転送が終わるまでの間に再生した符号化単位の圧縮画像データの転送は停止し、前記フレーム内符号化ピクチャの転送が終了した後、次に再生された符号化単位の転送を実行することを特徴とする請求項３に記載の画像通信装置。
【請求項７】
複数の画像フレームからなる動画像データを所定の符号化方式で圧縮符号化した圧縮画像データを記憶部より再生し、伝送手段を介して前記圧縮画像データの復号機能を有する受信装置に対して転送する画像通信方法であって、
前記圧縮画像データの早送り再生時において、前記圧縮画像データにおける複数の画像フレームの符号量、前記圧縮画像データの転送に必要な帯域、及び前記早送り再生の早送り倍速に基づいて前記複数の画像フレームの中から転送する画像フレームを抽出し、この抽出した画像フレームの圧縮画像データのみを前記伝送手段を介して前記受信装置に転送することを特徴とする画像通信方法。
【請求項８】
画像フレーム内のみのデータにより符号化したフレーム内符号化ピクチャ、フレーム間前方予測符号化により符号化した前方予測符号化ピクチャ、及びフレーム間双方向予測符号化により符号化した双方向予測ピクチャを一定のフレーム数集めて１つの符号化単位を構成し、前記符号化単位を集めて構成した画像ストリームを記憶部より再生し、一定の転送帯域を有する伝送手段を介して転送する画像通信方法であって、
前記画像ストリームの早送り再生時において、前記符号化単位毎に、前記伝送手段の転送帯域、前記早送り再生の倍率、及び前記符号化単位内の各画像フレームの符号量を取得する第１のステップと、
前記第１のステップにより取得された前記伝送手段の転送帯域、前記早送り再生の倍率、及び前記符号化単位内の各画像フレームの符号量に基づき、前記再生単以内の画像フレーム数／早送り倍率×転送帯域を演算し、前記符号化単位毎の転送時間に送信可能なデータ量を算出する第２のステップと、
前記第２のステップにより算出されたデータ量が前記再生単位内の最初のフレーム内符号化ピクチャのデータ量より多い場合、前記算出されたデータ量を越えない範囲で、１つの前記符号化単位より前記画像フレーム内符号化ピクチャ及び前記前方予測符号化ピクチャの順で画像フレームを抽出して早送り再生用の画像データとして転送すると共に、前記算出されたデータ量を越える範囲の画像フレームの転送を中止し、１つの前記再生単位より抽出した早送り再生用の画像データの転送が終了した後、次の前記符号化単位の転送を開始する第３のステップと、
前記第２のステップにより算出されたデータ量が前記再生単位内の最初のフレーム内符号化ピクチャのデータ量より少ない場合、前記再生単位内の最初のフレーム内符号化ピクチャの画像データを転送すると共に、この最初のフレーム内符号化ピクチャの転送が終わるまでの間に再生した符号化単位の圧縮画像データの転送は停止し、前記フレーム内符号化ピクチャの転送が終了した後、次に再生された符号化単位の転送を実行する第４のステップとを含むことを特徴とする画像通信方法。
【手続補正３】
【補正対象書類名】明細書
【補正対象項目名】０００１
【補正方法】変更
【補正の内容】
【０００１】
【発明の属する技術分野】
本発明は、例えば、送信側から、ディジタル画像を圧縮した画像データを送信し、この受信側で、当該画像データを特殊再生（サーチ再生等）するための装置或いはシステムに用いられる、画像通信装置及び画像通信方法に関するものである。
【手続補正４】
【補正対象書類名】明細書
【補正対象項目名】００４４
【補正方法】変更
【補正の内容】
【００４４】
そこで、本発明は、上記の欠点を除去するために成されたもので、サーチ再生のための画像データの転送をスムーズに行える、画像通信装置及び画像通信方法を提供することを目的とする。
【手続補正５】
【補正対象書類名】明細書
【補正対象項目名】００４５
【補正方法】変更
【補正の内容】
【００４５】
【課題を解決するための手段】
本発明の画像通信装置は、複数の画像フレームからなる動画像データを所定の符号化方式で圧縮符号化した圧縮画像データを記憶部より再生し、伝送手段を介して前記圧縮画像データの復号機能を有する受信装置に対して転送する画像通信装置であって、前記圧縮画像データの早送り再生時において、前記圧縮画像データにおける複数の画像フレームの符号量、前記圧縮画像データの転送に必要な帯域、及び前記早送り再生の早送り倍速に基づいて前記複数の画像フレームの中から転送する画像フレームを抽出し、この抽出した画像フレームの圧縮画像データのみを前記伝送手段を介して前記受信装置に転送することを特徴とする。
【手続補正６】
【補正対象書類名】明細書
【補正対象項目名】００４６
【補正方法】変更
【補正の内容】
【００４６】
本発明の画像通信方法は、複数の画像フレームからなる動画像データを所定の符号化方式で圧縮符号化した圧縮画像データを記憶部より再生し、伝送手段を介して前記圧縮画像データの復号機能を有する受信装置に対して転送する画像通信方法であって、前記圧縮画像データの早送り再生時において、前記圧縮画像データにおける複数の画像フレームの符号量、前記圧縮画像データの転送に必要な帯域、及び前記早送り再生の早送り倍速に基づいて前記複数の画像フレームの中から転送する画像フレームを抽出し、この抽出した画像フレームの圧縮画像データのみを前記伝送手段を介して前記受信装置に転送することを特徴とする。
【手続補正７】
【補正対象書類名】明細書
【補正対象項目名】００４７
【補正方法】変更
【補正の内容】
【００４７】
本発明の画像通信方法における他の態様は、画像フレーム内のみのデータにより符号化したフレーム内符号化ピクチャ、フレーム間前方予測符号化により符号化した前方予測符号化ピクチャ、及びフレーム間双方向予測符号化により符号化した双方向予測ピクチャを一定のフレーム数集めて１つの符号化単位を構成し、前記符号化単位を集めて構成した画像ストリームを記憶部より再生し、一定の転送帯域を有する伝送手段を介して転送する画像通信方法であって、前記画像ストリームの早送り再生時において、前記符号化単位毎に、前記伝送手段の転送帯域、前記早送り再生の倍率、及び前記符号化単位内の各画像フレームの符号量を取得する第１のステップと、前記第１のステップにより取得された前記伝送手段の転送帯域、前記早送り再生の倍率、及び前記符号化単位内の各画像フレームの符号量に基づき、前記再生単以内の画像フレーム数／早送り倍率×転送帯域を演算し、前記符号化単位毎の転送時間に送信可能なデータ量を算出する第２のステップと、前記第２のステップにより算出されたデータ量が前記再生単位内の最初のフレーム内符号化ピクチャのデータ量より多い場合、前記算出されたデータ量を越えない範囲で、１つの前記符号化単位より前記画像フレーム内符号化ピクチャ及び前記前方予測符号化ピクチャの順で画像フレームを抽出して早送り再生用の画像データとして転送すると共に、前記算出されたデータ量を越える範囲の画像フレームの転送を中止し、１つの前記再生単位より抽出した早送り再生用の画像データの転送が終了した後、次の前記符号化単位の転送を開始する第３のステップと、前記第２のステップにより算出されたデータ量が前記再生単位内の最初のフレーム内符号化ピクチャのデータ量より少ない場合、前記再生単位内の最初のフレーム内符号化ピクチャの画像データを転送すると共に、この最初のフレーム内符号化ピクチャの転送が終わるまでの間に再生した符号化単位の圧縮画像データの転送は停止し、前記フレーム内符号化ピクチャの転送が終了した後、次に再生された符号化単位の転送を実行する第４のステップとを含むことを特徴とする。
【手続補正８】
【補正対象書類名】明細書
【補正対象項目名】００４８
【補正方法】削除
【補正の内容】
【手続補正９】
【補正対象書類名】明細書
【補正対象項目名】００４９
【補正方法】削除
【補正の内容】
【手続補正１０】
【補正対象書類名】明細書
【補正対象項目名】００５０
【補正方法】削除
【補正の内容】